(57)【要約】      （修正有）【課題】高齢などの理由により動作が俊敏でない人々が夜間歩行時に、自動車や自転車などの高速移動する乗り物に乗る運転者より、遠方からでも視認されるよう発光する夜間安全用リストバンドを提供する。【解決手段】高齢者でも手軽に着脱が可能で自己発光機能があり、日常生活で装着が不自然ではない夜間安全用リストバンドであり、袋状の裁縫物とし、袋内部にバネ性を有するコンベックス金属部材を挟み込んで縫うことにより容易に腕に着脱可能であり、発光体にＬＥＤを用い、長寿命、長時間発光を可能とした物である。【選択図】図１
0003122261.tif 000002
【実用新案登録請求の範囲】
【請求項１】
綿または絹または化学繊維から成る袋状の裁縫物で、袋内部に幅方向の断面を弓形形状とし、長さ方向の断面を直線形状とするコンベックス金属部材を有した形状のリストバンドであり、袋内部に有するコンベックス金属部材が、帯状平衡状態から外圧が加わると幅方向の断面が直線形状となり、長さ方向の断面が円弧状平衡状態に弾性変形することを利用し腕に装着する機能を有し、かつ、円弧状平衡状態から外圧を加えてリストバンドを簡単に帯状平衡状態に戻すことができる機能を有したリストバンドで、腕への着脱が非常に簡便であり装着時にＬＥＤが発光する夜間安全用リストバンド。
【請求項２】
請求項１を満たすリストバンドで、花柄などの刺繍がリストバンドの表面に施されており、更にＬＥＤをその刺繍デザインの一部としてリストバンドの表面に配置し、リストバンド装着時に発光する機能を有した夜間安全用リストバンド
【請求項３】
請求項１及び請求項２を満たすリストバンドで、リストバンドの両端に通電が可能な部材を取り付け、リストバンドの袋内部に有するコンベックス金属部材が帯状平衡状態から外圧により幅方向の断面を直線形状とし、長さ方向の断面を円弧状平衡状態に弾性変形してリストバンドを腕に装着する際に、リストバンドの両端に取り付けた通電可能な部材が互いに接触することによりＬＥＤが発光し、腕より取り外してリストバンドの袋内部に有するコンベックス金属部材が円弧状平衡状態から、帯状平衡状態に戻る際ＬＥＤが消灯する機能を有した夜間安全用リストバンド
【考案の詳細な説明】
【技術分野】
【０００１】
本発明は高齢などの理由により動作が俊敏でない人々が夜間歩行時に、自動車や自転車などの高速移動する乗り物に乗る運転者より、遠方からでも視認されるよう発光する夜間安全用リストバンドに関するものである。
【背景技術】
【０００２】
夜間において、自動車や自転車の運転者が遠方より人間の存在を視認するため、特願平１０−２１７８５３に示すような反射材を使用した作業用装身具がある。また、特願２００１−２５８７７１では傘に蛍光物をつけた物や、特願平９−３５４９７１のようにリックサックに反射材を取り付けた物がある。
【０００３】
【特許文献１】特願平１０−２１７８５３
【特許文献２】特願２００１−２５８７７１
【特許文献３】特願平９−３５４９７１
【特許文献４】特願平１１−３９００５
【特許文献５】特願平１０−１１２６５７
【特許文献６】特願２００３−４０５１８４
【特許文献７】特願２００３−１７８７６８
【特許文献８】特願平６−１４３７６９
【特許文献９】実用新案出願平７−９３２６
【考案の開示】
【考案が解決しようとする課題】
【０００４】
夜間時に発生する事故のうち、高齢者が事故にあう割合は意外に大きい。これは、犬の散歩や、健康維持のためのウォーキングなど高齢者も夜間に外出する場合が少なからずあることを示している。
【０００５】
しかし高齢者の多くは、筋力低下や視力の低下などにより、自動車やオートバイ、自転車などの乗り物が暗闇より突然接近してきた場合、とっさに回避するのは非常に困難を伴う。
【０００６】
従って、運転手が遠方より高齢者の存在を確認するのが、交通事故回避の手段としては有効に感じられる。そのために、発光するベストのような物や、ヘルメットに点灯装置が取り付けられているものが考えられている。これらの物は、夜間工事作業者が着用するのは仕方がないとして、高齢者が少しの用事で夜間外出する際にはいささか大げさな物になってしまう。
【０００７】
また反射板を取り付けた考案も考えられているが、常時点灯していないため、場合によっては運転手が気がつかない場合も十分考えられる。  
【課題を解決するための手段】
【０００８】
以上により本考案では、高齢者でも手軽に着脱が可能で自己発光機能があり、日常生活において装着が不自然ではない夜間安全用リストバンドを考案した。
【０００９】
これは、繊維からなる袋状の裁縫物をリストバンドとし、袋内部にバネ性を有する薄いコンベックス金属部材を挟み込んで縫うことにより特別な保持具を必要とせず容易に腕に着脱可能であり、発光体にＬＥＤを用いることにより、長寿命、長時間発光を可能とした物である。
【００１０】
またリストバンドの両端に通電可能な部材を取り付け、これをスイッチとして機能させることによって、装着時にＬＥＤが点灯し、取り外すと通電が途切れＬＥＤが消灯する機能を有する非常に簡便な使用方法になっており、高齢者が使用しやすい配慮がなされている。
【考案の効果】
【００１１】
従来の夜間安全器具のような機能重視型と異なり、本考案は日常生活で高齢者が手軽に使用することを前提としており、そのためリストバンドの表面に花柄などの刺繍を施したり、そのデザインに合わせてＬＥＤを効果的に配置することにより、ファッション性を高めている。
【００１２】
また装着時にボタンやフック、特別な固定機構を必要としないので、高齢者が手軽に使用できる。装着時以外はＬＥＤが消灯するため、電池の消費が抑えられるとともに、特別なスイッチを必要とせず、点灯消灯が切り替わる。これにより、電池交換を頻繁に行う必要がなく、またスイッチの切り忘れによる無駄な電力消費が抑えられる。
【考案を実施するための最良の形態】
【００１３】
図１は夜間安全用リストバンドの概観図、図２はリストバンド断面図を示し、図３は通電部材箇所を側面から見た側面図になっている。
【００１４】
図１に示すように、綿で裁縫された袋状の裁縫物１の表面上には、花柄の刺繍２が施されており、袋状の裁縫物１の両端には、ステンレス製の通電部材３が取り付けられている。花柄の中心部に３．３Ｖ駆動用のＬＥＤ４を配置し、刺繍デザインの一部としている。更にＬＥＤ駆動用の電池を収納する電池ケース５を袋状の裁縫物１上に配置する。
【００１５】
ＬＥＤ４と電池ケース５、及び通電部材３は袋状の裁縫物１内部で配線が繋がっており、リストバンド装着時に外圧６が加わると、袋状の裁縫物１内部にあるコンベックス金属部材７の長さ方向の断面が帯状平衡状態から円弧状平衡状態に弾性変形し、リング状態８になると、袋状の裁縫物１の両端に取り付けられた通電部材３同士が接触して通電し、ＬＥＤ４が発光する仕組みとなっている。
【００１６】
このように外圧６を加えることにより、コンベックス金属部材７が弾性変形を起こし腕にリストバンドが装着される。腕より取り外す場合は、引き伸ばして、コンベックス金属部材７が弧状平衡状態から帯状平衡状態に弾性変形し、幅方向の断面形状が弓形形状に戻ることによりリストバンドが図１の直線状態になる。
【００１７】
そのほか図１の袋状の裁縫物は絹や、ナイロンなどの化学繊維による物も考えられる。ＬＥＤ４と電池ケース５及び通電部材３をつなげる配線９は図２に示すように袋状の裁縫物１内部に配置することにより、リストバンド着脱時の邪魔にならないよう配慮している。
【００１８】
図３は、図１のリング状態時の側面から見た図である。このようにリング状態になると通電部材３同士が接触して通電するので、ＬＥＤが点灯する仕組みである。デザイン性を考慮すると、通電部材３はただの金属プレートではなく模様を刻印したものや、社名などを刻印することも考えられる。
【図面の簡単な説明】
【００１９】
【図１】夜間安全用リストバンド全体図
【図２】リストバンド断面図
【図３】リストバンド側面図
【符号の説明】
【００２０】
１．袋状の裁縫物
２．花柄の刺繍
３．通電部材
４．ＬＥＤ
５．電池ケース
６．外圧
７．コンベックス金属部材
８．リング状態
９．配線
【図１】
0003122261.tif 000003
【図２】
0003122261.tif 000004
【図３】
0003122261.tif 000005